(57)【特許請求の範囲】
【請求項１】
外部記録装置を接続するためのインタフェースと、
前記インタフェースに接続されている外部記録装置との間のデータ通信を制御する制御回路と、
前記外部記録装置に記録されているデータのデータ管理情報が格納される情報格納手段
とを備えており、前記制御回路は、
前記外部記録装置との間の接続を確立するための接続処理を実行して接続確立状態を実現する接続確立手段と、
前記接続確立状態で、前記外部記録装置からデータ管理情報を取得して前記情報格納手段に格納する情報取得手段と、
前記接続確立状態で、前記情報格納手段に格納されているデータ管理情報を前記外部記録装置に供給する情報供給手段と、
装置本体を装置本体の一部の稼働を停止する省電力モードに設定する省電力モード設定手段と、
装置本体が前記省電力モードに設定される前に、或いは設定されるときに、前記情報供給手段にデータ管理情報供給動作を実行させた後、或いは前記情報供給手段によるデータ管理情報供給動作が終了した後、前記接続確立状態を解除する接続解除手段
とを備えている撮像装置。
【請求項２】
前記接続解除手段は、前記情報供給手段によるデータ管理情報供給動作が実行されていない場合に該情報供給手段に該動作を実行させた後、或いは前記情報供給手段によるデータ管理情報供給動作中である場合には該動作が終了した後、前記接続確立状態を解除することを特徴とする、請求項１記載の撮像装置。
【請求項３】
前記制御回路は、前記省電力モードを解除する省電力モード解除手段を備えており、前記接続確立手段は、該省電力モード解除手段によって省電力モードが解除されたときに前記接続処理を実行することを特徴とする、請求項１または２記載の撮像装置。
【請求項４】
被写体の光学像を取り込み撮像データを出力する撮像手段と、
前記撮像データを記録する外部記録装置を接続するためのインタフェース部と、
前記撮像データのデータ管理情報が格納される情報格納手段と、
前記インタフェース部を経由して前記外部記録装置との前記撮像データおよび前記データ管理情報のデータ通信を制御するデータ通信制御手段と備え、
前記データ通信制御手段は、
前記外部記録装置との間の接続を確立するための接続処理を実行して接続確率状態を実現する接続確立手段と、
前記接続確立状態で、前記外部記録装置から前記データ管理情報を取得して前記情報格納手段に格納する情報取得手段と、
前記接続確立状態で、前記情報格納手段に格納されているデータ管理情報を前記記録装置に供給する情報供給手段と、
装置本体を装置本体の一部の稼動を停止する省電力モードに設定する省電力モード設定手段と、
該装置本体が前記省電力モードに設定される前に、或いは設定されるときに、前記情報供給手段にデータ管理情報供給動作を実行させた後、或いは前記情報供給手段によるデータ管理情報供給動作が終了した後、前記接続確立状態を解除する接続解除手段とを備えていることを特徴とする撮像装置。
【発明の詳細な説明】
【技術分野】
【０００１】
本発明は、例えばデジタルカメラ等の電子カメラの如く、撮像機能を有する撮像装置に関し、特に、接続されている外部記録装置との間のデータ通信の制御を行なう撮像装置に関するものである。
【背景技術】
【０００２】
通常の電子カメラ等において、他の機器と接続する際に、ＵＳＢ（Ｕｎｉｖｅｒｓａｌ  Ｓｅｒｉａｌ  Ｂｕｓ）インタフェースを介して接続することが主流となっている。ＵＳＢ規格では、ホストコントローラを備えるホストが該ホストに接続されるデバイスにポーリング（問い合わせ）をすることによって両者間にて通信を行う。全ての通信の制御をホストが制御し、デバイス側からの問い合わせ等はできない。
【０００３】
通常、電子カメラ等で撮像した撮像データを、ＵＳＢケーブルを使用して外部記録装置に転送したい場合は、電子カメラを外部記録装置が接続されているパーソナルコンピュータ（ＰＣ）に接続し、ＰＣを介して外部記録装置に撮像データを転送する。すなわち、ＰＣがホストとなり電子カメラおよび外部記録装置はデバイスとなる。ＰＣがすべての通信の制御を実行し、電子カメラの撮像データを外部記録装置に転送する。従って、電子カメラの撮像データを外部記録装置に転送するには、常にＰＣの介在が必要となり、ＰＣの起動等のわずらわしさがあった。
【０００４】
そこで、ＰＣを介することなく外部装置のデータ通信を行うことができる撮像装置が特許文献１に開示されている。
【特許文献１】特開２００６−６７５０６号公報
【発明の開示】
【発明が解決しようとする課題】
【０００５】
通常、ホスト機器とデバイス機器とをＵＳＢインタフェースを介して接続したときには、ホスト機器とデバイス機器とがＵＳＢ規格に従って問い合わせコマンドと応答コマンドを相互に送信しあうことによって、接続が確立される。又、接続が解除される際にも、ホスト機器とデバイス機器とがＵＳＢ規格に従って問い合わせコマンドと応答コマンドを相互に送信しあうことによって、接続が解除される。従って、ホスト機器にデバイス機器として外部記録装置が接続されている場合に、両機器間で接続が確立されている状態で、ユーザが誤って何れかの機器からＵＳＢコネクタを引き抜くことにより両機器間の物理的な接続が切り離されると、外部記録装置に記録されている保存データが壊れてしまう虞がある。
【０００６】
しかしながら、ＰＣを介することなく外部装置とデータ通信を行なうことができる従来の撮像装置においては、上述の如く接続確立状態で物理的な接続が切り離されることにより外部装置に記録されている保存データが壊れることを防止するための対策が講じられていない。
【０００７】
そこで本発明の目的は、外部記録装置が接続されている場合に、該外部記録装置に記録されている保存データが壊れる等の不具合が発生することを防止することが出来る撮像装置を提供することである。
【課題を解決するための手段】
【０００８】
本発明に係る撮像装置は、外部記録装置を接続するためのインタフェースと、インタフェースに接続されている外部記録装置との間のデータ通信を制御する制御回路と、外部記録装置に記録されているデータのデータ管理情報が格納される情報格納手段とを備えている。そして、制御回路は、外部記録装置との間の接続を確立するための接続処理を実行して接続確立状態を実現する接続確立手段と、接続確立状態で、外部記録装置からデータ管理情報を取得して情報格納手段に格納する情報取得手段と、接続確立状態で、情報格納手段に格納されているデータ管理情報を外部記録装置に供給する情報供給手段と、装置本体を装置本体の一部の稼働を停止する省電力モードに設定する省電力モード設定手段と、装置本体が省電力モードに設定される前に、或いは設定されるときに、情報供給手段にデータ管理情報供給動作を実行させた後、或いは情報供給手段によるデータ管理情報供給動作が終了した後、接続確立状態を解除する接続解除手段とを備えている。
【０００９】
具体的には、接続解除手段は、情報供給手段によるデータ管理情報供給動作が実行されていない場合には該情報供給手段に該動作を実行させた後、或いは前記情報供給手段によるデータ管理情報供給動作中である場合には該動作が終了した後、前記接続確立状態を解除する。
【００１０】
本発明に係る撮像装置においては、装置本体が省電力モードに設定される前に、或いは設定されるときに、最新のデータ管理情報が外部記録装置に確実に供給された後、接続確立状態が解除されるので、装置本体が省電力モードに設定されている状態で、ユーザが省電力モードを電源オフ状態と勘違いをしてケーブルを引き抜いたとしても、外部記録装置に記録されている保存データが壊れることはない。
【００１１】
又、具体的には、前記制御回路は、前記省電力モードを解除する省電力モード解除手段を備えており、前記接続確立手段は、該省電力モード解除手段によって省電力モードが解除されたときに前記接続処理を実行する。
【００１２】
上記具体的構成によれば、省電力モードが解除されたときに、自動的に装置本体が接続確立状態に復帰する。従って、装置本体を接続確立状態に復帰させるための操作は不要である。
【００１３】
また、本発明に係る撮像装置は、被写体の光学像を取り込み撮像データを出力する撮像手段と、撮像データを記録する外部記録装置を接続するためのインタフェース部と、撮像データのデータ管理情報が格納される情報格納手段と、インタフェース部を経由して外部記録装置との撮像データおよびデータ管理情報のデータ通信を制御するデータ通信制御手段と備え、データ通信制御手段は、外部記録装置との間の接続を確立するための接続処理を実行して接続確率状態を実現する接続確立手段と、接続確立状態で、外部記録装置からデータ管理情報を取得して情報格納手段に格納する情報取得手段と、接続確立状態で、情報格納手段に格納されているデータ管理情報を記録装置に供給する情報供給手段と、装置本体を装置本体の一部の稼動を停止する省電力モードに設定する省電力モード設定手段と、装置本体が省電力モードに設定される前に、或いは設定されるときに、情報供給手段にデータ管理情報供給動作を実行させた後、或いは情報供給手段によるデータ管理情報供給動作が終了した後、接続確立状態を解除する接続解除手段を備えていること特徴としている。
【発明の効果】
【００１４】
本発明に係る撮像装置によれば、外部記録装置が接続されている場合に、該外部記録装置に記録されている保存データが壊れる等の不具合が発生することを防止することが出来る。
【発明を実施するための最良の形態】
【００１５】
本実施例においては、撮像装置の１つの例として、電子カメラ及びクレードルからなる撮像装置の形態を説明する。
【００１６】
図１は、本発明に係る撮像装置にハードディスク装置８０及びテレビモニタ６０が接続されている図である。本発明に係る撮像装置は、図示の如く電子カメラ１０と電子カメラ１０を載せるクレードル５０とから構成されており、電子カメラ１０は、クレードル５０を介してハードディスク装置８０及びテレビモニタ６０とデータの送受を行なう。
【００１７】
図２は電子カメラ１０及びクレードル５０の構成を示すブロック図であり、図２を参照して電子カメラ１０及びクレードル５０の詳細を説明する。電子カメラ１０は、撮像レンズ２、ＣＭＯＳイメージセンサ４、撮像処理部６、ＣＰＵ８、ＵＳＢ端子１０ａ、映像出力端子１０ｂ、電源スイッチ端子１０ｃ、操作部１２、リモコン受光部１４、ＳＤＲＡＭ１６、圧縮・伸張処理部１８、ＵＳＢホストコントローラ２０、ＵＳＢデバイスコントローラ２２、ＵＳＢインタフェース２４、カード制御部２６、外部メモリカード２８、ビデオエンコーダ３０及びモニタ３２を備えている。
【００１８】
撮像レンズ２は、被写体の光学像を撮像デバイスであるＣＯＭＳイメージセンサ４の撮像面上に結像させる。ＣＭＯＳイメージセンサ４から出力されたアナログ撮像信号は、撮像処理部６によって撮像処理が行なわれ、輝度信号であるＹ信号及び色差信号であるＵ、Ｖ信号に変換される。尚、撮像レンズ２の光軸方向の位置は、ＣＭＯＳイメージセンサ４の出力信号に基づいて調節される。
【００１９】
ＣＰＵ８は、撮像処理部６、操作部１２、リモコン受光部１４、ＳＤＲＡＭ１６、圧縮・伸張処理部１８、ＵＳＢホストコントローラ２０、ＵＳＢデバイスコントローラ２２、カード制御部２６、ビデオエンコーダ３０及び電源スイッチ端子１０ｃに接続されている。ＣＰＵ８は、図示しない内部メモリに格納されているプログラムに従って、撮像処理部６、ＳＤＲＡＭ１６、圧縮・伸張処理部１８、ＵＳＢホストコントローラ２０、ＵＳＢデバイスコントローラ２２、カード制御部２６及びビデオエンコーダ３０の制御を行なう。又、ＣＰＵ８に内蔵されているタイマ８ａは、時間をカウントし、所定時間をカウントするとタイムアップ状態を示すフラグを立てる。
【００２０】
操作部１２に対する所定の操作に応じて、ＣＰＵ８による撮像処理及び再生処理が実行される。撮像処理を具体的に説明すると、ＣＰＵ８は、撮像された動画像及び静止画像を、圧縮・伸張処理部１８によって圧縮した後、カード制御部２６を制御することによって、圧縮された動画像データ及び静止画像データを動画像ファイル及び静止画像ファイルとして外部メモリカード２８に記録する。一方、再生処理を具体的に説明すると、ＣＰＵ８は、外部メモリカード２８に記録されている動画像ファイル又は静止画像ファイルを、圧縮・伸張処理部１８によって伸張した後、ビデオエンコーダ３０によってＮＴＳＣ信号などのアナログ映像信号に変換し、モニタ３２又は映像出力端子１０ｂに出力する。ＳＤＲＡＭ１６は、この様な撮像処理及び再生処理において一時的にデータを格納するために使用される。
【００２１】
又、電子カメラ１０に設けられているＵＳＢ端子１０ａ、映像出力端子１０ｂ及び電源スイッチ端子１０ｃはクレードル５０に接続することが可能である。ＵＳＢ端子１０ａは、電子カメラ１０内のＵＳＢインタフェース２４に接続されており、ＵＳＢインタフェース２４には、ＵＳＢホストコントローラ２０及びＵＳＢデバイスコントローラ２２が並列に接続されている。
【００２２】
クレードル５０は、ＵＳＢ端子１０ａ、映像出力端子１０ｂ及び電源スイッチ端子１０ｃに接続するためのＵＳＢ端子５０ａ、映像入力端子５０ｂ及び電源スイッチ端子５０ｃを備え、ＵＳＢ端子５０ａには、ホストコネクタ５４及びデバイスコネクタ５６が並列に接続されている。映像入力端子５０ｂ及び電源スイッチ端子５０ｃにはそれぞれ、電源スイッチ５２及びＡＶコネクタ５８が接続されている。
【００２３】
ホストコネクタ５４には、ＵＳＢケーブルを介して、ハードディスク装置８０のようなデバイス機能を有する外部記録装置を接続することが可能であって、ホストコネクタ５４にハードディスク装置８０が接続されている状態では、外部メモリカード２８に記録されている動画像ファイルや静止画像ファイルをクレードル５０を経由して該ハードディスク装置８０に記録することができる。デバイスコネクタ５６には、ホスト機能を有するパーソナルコンピュータ(ＰＣ)を接続することが可能である。ＡＶコネクタ５８には、映像出力データを表示するテレビモニタ６０を接続することが可能であって、該ＡＶコネクタ５８にテレビモニタ６０が接続されている状態では、外部メモリカード２８に記録されている動画像ファイルや静止画像ファイルをクレードル５０を経由してテレビモニタ６０へ出力し、動画像や静止画像を表示させることができる。具体的には、上述した再生処理の際に、映像出力端子１０ｂから出力されたアナログ映像信号はＡＶコネクタ５８に供給され、テレビモニタ６０へ出力される。
【００２４】
次に、図３を参照して、ハードディスク装置８０の説明をする。図３はハードディスク装置８０の構成を示すブロック図である。ハーディスク装置８０は、ＵＳＢ端子８０ａ、ＵＳＢインタフェース８２、ＣＰＵ８４、ＨＤコントローラ８６及びＨＤドライブ８８を備えている。ＣＰＵ８４に、ＵＳＢインタフェース８２及びＨＤコントローラ８６が接続されており、ＣＰＵ８４は、図示しないメモリに格納されているプログラムに従って、これらのＵＳＢインタフェース８２及びＨＤコントローラ８６を制御する。
【００２５】
本実施例の電子カメラ１０を、電源をＯＦＦに設定した状態でハードディスク装置８０が接続されているクレードル５０に図１に示す如く載せた後、クレードル５０に設けられた電源スイッチ５２を操作すると、電源がＯＮに設定された後、ハードディスク装置８０との間の接続を確立する接続確立処理が実行される。
【００２６】
具体的には、電源スイッチ５２が操作されると、図２に示すＣＰＵ８がこれを検知し、カメラ本体の電源をＯＮに設定する。カメラ本体の電源がＯＮに設定されると、ＣＰＵ８は、ＵＳＢインタフェース２４を経由してホストコネクタ５４に印加される電圧を検知することによって、ホストコネクタ５４にデバイス機器(ハードディスク装置８０)が接続されていることを検知する。同時に、デバイス機器(ハードディスク装置８０)も、ＵＳＢインタフェース８２を経由して電圧を検知することによって、ホスト機器である電子カメラ１０が接続されていることを検知する。
【００２７】
次に、ＣＰＵ８は、ＵＳＢホストコントローラ２０を制御して、接続されているデバイス機器(ハードディスク装置８０)に対し、どのようなドライバで制御される機器であるかを問い合わせる問い合わせコマンドを送信する。これに応じてデバイス機器(ハードディスク装置８０)は、電子カメラ１０に対し、ハードディスク装置８０のドライバで制御される機器である応答コマンドを送信する。この様にして、電子カメラ１０は、デバイス機器(ハードディスク装置８０)とどのようなドライバで通信が可能であるかを認識して、ハードディスク装置８０との間の接続を確立する。接続が確立されると、電子カメラ１０とハードディスク装置８０との間で行なわれる全てのデータ通信は、電子カメラ１０によって制御される。本実施例の電子カメラ１０は、ハードディスク装置８０のドライバを備えているものとする。本実施例では、以上のようなホストモード処理を実行する。上述したホスト機器とデバイス機器間の接続の確立は、ＵＳＢ規格に従ったものであるため、詳しい説明は省略する。
【００２８】
接続が確立された電子カメラ１０とハードディスク装置８０との間のデータ送受信処理においては、先ず、電子カメラ１０のＣＰＵ８は、ＵＳＢホストコントローラ２０を制御して、ハードディスク装置８０に対し、ハードディスク(図示省略)に記録されているＦＡＴ(File  Allocation  Tables)情報の転送を要求するリクエストコマンドを送信する。ハードディスク装置８０においては、ＵＳＢインタフェース８２を介してリクエストコマンドが受信され、ＣＰＵ８４は、該リクエストコマンドを解析した後、ＨＤコントローラ８６を制御してＨＤドライブ８８によりハードディスクからＦＡＴ情報を読み出し、読み出したＦＡＴ情報を含む応答コマンドを電子カメラ１０へ送信する。該ＦＡＴ情報は、ＳＤＲＡＭ１６に格納される。これによって、電子カメラ１０は、ハードディスク装置８０のデータ管理を行なうことができる。
【００２９】
ここで、外部メモリカード２８に記録されている動画像ファイルや静止画像ファイルを、クレードル５０を経由してハードディスク装置８０に記録するときの電子カメラ１０及びハードディスク装置８０の動作について説明する。電子カメラ１０のＣＰＵ８は、先ず、ＳＤＲＡＭ１６に格納されているハードディスク装置８０のＦＡＴ情報を解析する。次に、ハードディスク装置８０のハードディスクにどの様にデータを書き込むかを決定した後、カード制御部２６を制御することによって外部メモリカード２８から動画像ファイル又は静止画像ファイルを読み出す。続いて、ＵＳＢホストコントローラ２０を制御することによって、該動画像ファイル又は該静止画像ファイルをＵＳＢインタフェース２４からＵＳＢ端子１０ａに出力し、クレードル５０のＵＳＢ端子５０ａを経由してホストコネクタ５４からハードディスク装置８０へ供給する。尚、このとき、電子カメラ１０とハードディスク装置８０との間で、ＵＳＢ規格に従ったリクエストコマンドと応答コマンドの送受信が行なわれる。その後、ＳＤＲＡＭ１６に格納されているＦＡＴ情報を更新すると共に、ＵＳＢホストコントローラ２０を制御することによって、更新後のＦＡＴ情報をハードディスク装置８０へ供給する。図３に示すハードディスク装置８０のＨＤドライブ８８は、供給された動画像ファイル又は静止画像ファイルをハードディスクに記録した後、供給されたＦＡＴ情報をハードディスクに記録されているＦＡＴ情報に上書き記録する。
【００３０】
又、電子カメラ１０は、外部メモリカード２８に記録されている動画像ファイルや静止画像ファイルをクレードル５０のデバイスコネクタ５６に接続されているＰＣへ出力することができる。この場合は、上述したホスト機器とデバイス機器との間の接続の確立において、ＰＣがホスト機器となり、電子カメラがデバイス機器となる。電子カメラ１０においては、ホスト機能を有するＰＣからの外部メモリカード２８に記録されているファイルの転送要求がＵＳＢデバイスコントローラ２２によって受信されると、ＣＰＵ８は、受信内容に応じてカード制御部２６を制御して、外部メモリカード２８に記録されている動画像ファイル又は静止画像ファイルを読み出し、該動画像ファイル又は該静止画像ファイルをＵＳＢデバイスコントローラ２２を制御することによってＵＳＢインタフェース２４からＵＳＢ端子１０ａに出力する。出力されたファイルは、クレードル５０及びデバイスコネクタ５６を経由してＰＣへ供給される。本実施例では、以上のようなデバイスモード処理を実行する。
【００３１】
そして、電子カメラ１０に対して電源ＯＦＦ操作が行なわれると、ＣＰＵ８はＵＳＢホストコントローラ２０を制御して、ハードディスク装置８０との間の接続確立状態を解除する処理を実行した後、装置本体の電源をオフに設定する。ハードディスク装置８０との間の接続確立状態が解除されると、ＣＰＵ８は、ＳＤＲＡＭ１６に格納されているハードディスク装置８０のＦＡＴ情報を削除する。
【００３２】
又、電子カメラ１０は、カメラ本体を構成する一部の回路の稼働を停止する省電力モードの設定が可能であって、上述の如くハードディスク装置８０との間で接続が確立されている状態で、ＣＰＵ８は、内蔵するタイマ８ａがタイムアップ状態となる上記所定時間内に操作部１２に対する操作又はリモコン受光部１４によるリモコン操作信号の受信がないと判断すると、ＵＳＢホストコントローラ２０を制御して、ハードディスク装置８０との間の接続確立状態を解除する処理を実行した後、カメラ本体を通常稼働状態から省電力モードに移行させる。
【００３３】
カメラ本体を省電力モードに移行させる前に、ハードディスク装置８０との間の接続解除処理を行なう理由は次のとおりである。電子カメラ１０が省電力モードに設定されている状態では、図１に示すモニタ３２に対する表示が行なわれず、ユーザにとってカメラ本体が省電力モードに設定されているのか電源がオフに設定されているのかが分かりにくい。このため、電子カメラ１０が省電力モードに設定されているにも拘わらず、カメラ本体の電源がオフに設定されていると勘違いをして、電子カメラ１０をクレードル５０から取り外す虞がある。この様に、ホスト機器である電子カメラ１０とデバイス機器であるハードディスク装置８０との間で接続が確立されているにも拘わらず、両機器の接続確立状態が強制的に解除されると、電子カメラ１０のＳＤＲＡＭ１６に格納されている最新のＦＡＴ情報をハードディスク装置８０に供給する動作が実行されない事態や、該動作が中断される事態が発生し、この結果、ハードディスク装置８０に記録されている保存データの読出しが出来なくなる等、保存データが壊れる虞がある。
【００３４】
そこで、本実施例の電子カメラ１０においては、カメラ本体が省電力モードに移行する前にハードディスク装置８０との間の接続解除処理を行なうのである。接続解除処理においては、ＣＰＵ８は、ＵＳＢホストコントローラ２０によってハードディスク装置８０に対して最新のＦＡＴ情報を供給する動作が行なわれていない場合には、該ＵＳＢホストコントローラ２０にＦＡＴ情報供給動作を実行させた後、或いはＵＳＢホストコントローラ２０によるＦＡＴ情報供給動作中である場合には、該ＦＡＴ情報供給動作が終了した後、ハードディスク装置８０との間の接続確立状態を解除する。
【００３５】
次に、図４乃至図６のフローチャートを参照して、本実施例の電子カメラ１０のＣＰＵ８の動作について説明する。
【００３６】
図４は、カメラ本体の電源がオンに設定されている状態でＣＰＵ８によって実行される手続きを表わしている。操作部１２に対する電源オン操作、リモコン受光部１４による電源オン信号受信、又はクレードル５０に載せられた状態での電源スイッチ５２に対する操作に応じてカメラ本体の電源がオンに設定されると、先ずステップＳ１にてバッテリ残量や外部メモリカード２８の残量チェックなどの初期チェックを実行する。次にステップＳ３へ進み、ＵＳＢインタフェース２４を経由してホストコネクタ５４又はデバイスコネクタ５６に電圧が印加されているか否かを判断する。ステップＳ３にてＮＯと判断された場合には、ステップＳ５に進み、上述したような撮像や再生などの通常の電子カメラにおける処理を実行する。
【００３７】
ステップＳ３にてＹＥＳと判断された場合には、ステップＳ７に進み、ホストコネクタ５４又はデバイスコネクタ５６のどちらに電圧が印加されているかを判断する。電圧がデバイスコネクタ５６に印加されていると判断された場合は、ステップＳ１１に進み、上述のデバイスモード処理を実行する一方、電圧がホストコネクタ５４に印加されていると判断された場合は、ステップＳ９に進み、後述のホストモード処理を実行する。
【００３８】
図５を参照して、ホストモード処理におけるＣＰＵ８の動作について説明する。先ず、ステップＳ１３にて、ハードディスク装置８０との間の上述の接続確立処理を実行する。次にステップＳ１５に進み、ＣＰＵ８内のタイマ８ａをリセットした後、スタートさせる。次にステップＳ１７に進み、操作部１８に対する操作又はリモコン受光部１４によるリモコン操作信号受信があるか否かを判断する。ステップＳ１７にてＹＥＳと判断された場合は、ステップＳ１９に進み、操作部１８に対する操作に応じた処理又は受信したリモコン操作信号に応じた処理を実行した後、ステップＳ２１に進む。一方、ステップＳ１７にてＮＯと判断された場合は、ステップＳ１９を迂回してステップＳ２１に進む。
【００３９】
ステップＳ２１では、前記タイマ８ａがタイムアップ状態となったか否かを判断し、ＮＯと判断された場合はステップＳ１７へ戻り、ステップＳ２１にてＹＥＳと判断されるまで、ステップＳ１７〜ステップＳ２１の処理を繰り返し行なう。ステップＳ２１にてＹＥＳと判断されると、ステップＳ２３に進み、ハードディスク装置８０との間の接続確立状態を解除する上記接続解除処理を実行し、ステップＳ２５へ進み、カメラ本体を通常稼働状態から省電力モードに移行させる。
【００４０】
その後、ステップＳ２７に進み、省電力モードが解除される操作が行なわれたか否かを判断する。具体的には、操作部１８に対する操作又はリモコン受光部１４によるリモコン操作信号受信があるか否かを判断する。省電力モードが解除される操作が行なわれたと判断されるまで、ステップＳ２７の処理を繰り返し行なう。ステップＳ２７にてＹＥＳと判断されると、図４のステップＳ１へ戻り、その後、図５のステップＳ１３にて上記接続確立処理を実行する。これによって、省電力モードが解除されたときに、自動的に装置本体が接続確立状態に復帰することになる。
【００４１】
又、ホストモード処理においては、上記ステップＳ１３にて接続確立処理が行なわれると、図６に示す電源ＯＦＦ操作による接続解除処理が並列的に実行される。先ずステップＳ２９にて電源ＯＦＦ操作が行なわれたか否かを判断する。ここで、ＹＥＳと判断された場合は、ステップＳ３１へ進み上記接続解除処理を実行する。次にステップＳ３３へ進み、カメラ本体の電源をオフに設定して、手続きを終了する。尚、図５のステップＳ１５〜ステップＳ２７の処理の実行中に、電源ＯＦＦ操作が行なわれると、優先的に接続解除処理が実行され、カメラ本体の電源がオフに設定される。
【００４２】
次に図７を参照して、本実施例のハードディスク装置８０のＣＰＵ８４の動作について説明する。先ずステップＳ３５にて、ＵＳＢインタフェース８２を経由して電圧が印加されたか否かを判断する。ステップＳ３５にてＹＥＳと判断された場合は、ステップＳ３７へ進み、電子カメラ１０から両装置間の接続確立のための問い合わせコマンド等を受信したか否かを判断する。ステップＳ３７にてＹＥＳと判断された場合は、ステップＳ３９へ進み、上述した電子カメラ１０との間の接続を確立する処理を実行する。
【００４３】
次にステップＳ４１へ進み、電子カメラ１０からＦＡＴ情報や保存データ等の転送を要求するコマンドや接続の解除を要求するコマンド等のリクエストコマンドを受信したか否かを判断する。ここでＹＥＳと判断された場合は、ステップＳ４３に進み、受信したリクエストコマンドが接続の解除を要求するリクエストコマンドであるか否かを判断する。受信したリクエストコマンドがＦＡＴ情報や保存データの転送を要求するリクエストコマンドであってステップＳ４３にてＮＯと判断された場合はステップＳ４７に進み、該リクエストコマンドに応じた処理を実行した後、ステップＳ４１に戻る。一方、受信したリクエストコマンドが接続の解除を要求するリクエストコマンドであってステップＳ４３にてＹＥＳと判断された場合は、ステップＳ４５に進み、上述した接続解除処理を実行して、上記手続きを終了する。
【００４４】
以上のように、本実施例の撮像装置においては、電子カメラ１０が省電力モードに移行する前に、電子カメラ１０からハードディスク装置８０に対して最新のＦＡＴ情報が確実に供給された後、接続確立状態が解除されるので、電子カメラ１０が省電力モードに設定されている状態で、ユーザが省電力モードを電源オフ状態と勘違いをして、クレードル５０或いはハードディスク装置８０からＵＳＢケーブルを引き抜いたとしても、ハードディスク装置８０に記録されている保存データが破壊されることはない。
【００４５】
尚、上記実施の形態においては、本発明を電子カメラ１０及びクレードル５０からなる撮像装置に実施しているが、電子カメラのみから構成される撮像装置に実施することも可能である。本発明をかかる撮像装置に実施した形態においては、電子カメラとハードディスク装置等の外部記録装置とがＵＳＢケーブルを介して互いに接続される。
【図面の簡単な説明】
【００４６】
【図１】本発明の一実施例である電子カメラとハードディスク装置とテレビモニタの接続状態を示した外観図である。
【図２】本発明の一実施例である電子カメラの構成を示すブロック図である。
【図３】本発明の一実施例であるハードディスク装置の構成を示すブロック図である
【図４】本発明の一実施例である動作の一例の一部を示すフロー図である。
【図５】本発明の一実施例である動作の一例の他の一部を示すフロー図である。
【図６】本発明の一実施例である動作の一例のさらに他の一部を示すフロー図である。
【図７】本発明の一実施例である動作の一例のさらに他の一部を示すフロー図である。
【符号の説明】
【００４７】
２      …レンズ
４      …ＣＭＯＳイメージセンサ
６      …撮像処理部
８      …ＣＰＵ
８ａ    …タイマ
１０    …電子カメラ
１２    …操作部
１４    …リモコン受光部
１６    …ＳＤＲＡＭ
２０    …ＵＳＢホストコントローラ
２４    …ＵＳＢインタフェース
２６    …カード制御部
２８    …外部メモリカード
５０    …クレードル
５２    …電源スイッチ
５４    …ホストコネクタ
８２    …ＵＳＢインタフェース
８４    …ＣＰＵ
８６    …ＨＤコントローラ
８８    …ＨＤドライブ
【図１】
0005065201.tif 000002
【図２】
0005065201.tif 000003
【図３】
0005065201.tif 000004
【図４】
0005065201.tif 000005
【図５】
0005065201.tif 000006
【図６】
0005065201.tif 000007
【図７】
0005065201.tif 000008